(57)【要約】      （修正有）【課題】サービスカウンターの色彩や模様の変化により、店舗内全体の模様替えに匹敵し得るようにし、その改装作業も簡単で短時間で行えるようにした化粧板及びサービスカウンターを提供する。【解決手段】サービスカウンター１、３の少なくとも前板６を覆うプラスチック積層化粧板１２であって、該化粧板１２は、予め前記前板６の縦横寸法に応じた縦横寸法にカットされるとともに、少なくともその側部が弱み線１４ａを介して折り曲げ可能であり、裏面に設けた粘着テープ１７を介して、前記前板６の表面に着脱可能に貼着される。【選択図】図３
0003142791.tif 000002
【実用新案登録請求の範囲】
【請求項１】
プラスチック積層化粧板よりなり、業務用家具の少なくとも前面又は側面の化粧面を覆うように、裏面に設けた粘着テープを介して着脱可能に取り付けられる構成であることを特徴とする模様替え用化粧板。
【請求項２】
業務用家具としてのサービスカウンターの少なくとも前板を覆うプラスチック積層化粧板であって、該化粧板は、予め前記前板の縦横寸法に応じた縦横寸法にカットされるとともに、少なくともその側部が弱み線を介して折り曲げ可能であり、裏面に設けた粘着テープを介して、前記前板の表面に着脱可能に貼着されるものであることを特徴とする模様替え用化粧板。
【請求項３】
前記弱み線は、前記化粧板の両側部と、上部又は下部の少なくともいずれか一方に形成されていることを特徴とする請求項２に記載の模様替え用化粧板。
【請求項４】
前記プラスチック積層化粧板は、基材と印刷層と透明な表面保護層とが積層された構成になり、所定の色彩、模様又はそれらの組合せによる化粧面を有し、基材及び表面保護層は、塩化ビニル系又はポリエステル系の樹脂材料により形成されていることを特徴とする請求項１乃至３のいずれか１項に記載の模様替え用化粧板。
【請求項５】
前記弱み線は、前記プラスチック積層化粧板の裏面側に形成された直線状又は鎖線状の凹み線又は切り込み線により形成されていることを特徴とする請求項１乃至４のいずれか１項に記載の模様替え用化粧板。
【請求項６】
前記化粧板は、その厚さが０．３〜０．６mm、望ましくは０．４〜０．５mmの厚さとされていることを特徴とする請求項１乃至５のいずれか１項に記載の模様替え用化粧板。
【請求項７】
請求項１乃至６のいずれか１項に記載の模様替え用化粧板が、少なくとも前面又は側面の化粧面を覆うように、裏面の前記粘着テープを介して着脱可能に取り付けられていることを特徴とする業務用家具としてのサービスカウンター。
【考案の詳細な説明】
【技術分野】
【０００１】
本考案は、簡単に外装を変更できるようにした、主として業務用家具としてのサービスカウンター用の模様替え用化粧板及び該化粧板を化粧面に設けたサービスカウンターに関するものである。
【背景技術】
【０００２】
コンビニエンスストアや、これに類する販売方法を踏襲した食料品雑貨店、あるいはサービスカウンターを備えた金融機関などの店舗などでは、季節の変り目などに模様替えを行う場合が多い。これは、店内を全面改装することとは別に、季節毎に売筋表品が変化したり商品のキャンペーンなどに応じて、店舗内の商品配列を変えたり、店舗内の雰囲気をそれらに合わせることにより、主として買物客の購買意欲をそそるためになされるものである。
【考案の開示】
【考案が解決しようとする課題】
【０００３】
しかし、模様替えの都度、什器類を交換したり、塗装替えをしていたのでは、模様替えが完了する新装開店までに時間がかかり、また什器類の入替え費用大であるため、小規模店舗では、その費用対効果という点で、極めて負担が大きいものとなる。加えて什器を入替える場合には、交換される什器は、いわゆる粗大ゴミとしてそのまま廃棄処分されるため、環境問題の観点からも好ましいものではない。
【０００４】
そこで、本出願人は、買物客が必ず立寄るサービスカウンターに着目した。例えばコンビニエンスストアでは、周知のように、サービスカウンターで囲われた内側空間は、店舗従業員の主たる作業動線となるもので、その天板上には、商品代金の精算を行うためのキャッシュレジスターを始めとして、従業員のみ取扱い可能な食品類の陳列ケース、小物類の陳列ケースなどがおかれているとともに、天板下部はレジ袋や、持運び用容器、箸、スプーンなど小物類の置場所となっている一方、サービスカウンターの顧客側に面する側は前板および側板によって閉塞され、かなり目立つものであるだけに、店舗内における顧客の視線が占める割合は大きい。
【０００５】
本考案は、以上の点に着目してなされたものであり、サービスカウンターの色彩や模様の変化により、店舗内全体の模様替えに匹敵し得るようにし、かつその改装作業も簡単で短時間で行えるようにしたサービスカウンターの模様替え用化粧板及び該化粧板を顧客側化粧面に設けたサービスカウンターを提供するものである。
【課題を解決するための手段】
【０００６】
以上の課題を達成するため、本考案は、プラスチック積層化粧板よりなり、業務用家具の少なくとも前面又は側面の化粧面を覆うように、裏面に設けた両面粘着テープを介して着脱可能に取り付けられる構成であることを特徴とする模様替え用化粧板１２にある。
【０００７】
また、本考案は、業務用家具としてのサービスカウンター１、３の少なくとも前板６を覆うプラスチック積層化粧板１２であって、該化粧板１２は、予め前記前板６の縦横寸法に応じた縦横寸法にカットされるとともに、少なくともその側部が弱み線１４ａを介して折り曲げ可能であり、裏面に設けた粘着テープ１７を介して、前記前板６の表面に着脱可能に貼着されるものであることを特徴とする模様替え用化粧板１２にある。
【０００８】
前記弱み線１４ａは、前記化粧板１２の両側部と、上部又は下部の少なくともいずれか一方に形成されていることを特徴とする。弱み線１４ａの外側は、化粧板１２の裏面側直角方向に折り返される折り返し片１８とされ、サービスカウンター１、３の化粧面に嵌め込まれるようにして、取り付け粘着される。
【０００９】
図２に示されるように、プラスチック積層化粧板１２は、基材１４と印刷層１５と透明な表面保護層１６とが積層された構成になり、所定の色彩、模様又はそれらの組合せによる化粧面を有し、基材１４及び表面保護層１６は、塩化ビニル系又はポリエステル系の樹脂材料により形成されている。
【００１０】
前記弱み線１４ａは、前記プラスチック積層化粧板１２の基材１４の裏面側に形成された直線状又は鎖線状の凹み線又は切り込み線により形成されている。
【００１１】
前記化粧板１２は、その厚さが０．３〜０．６mm、望ましくは０．４〜０．５mmの厚さとされている。
【００１２】
前記模様替え用化粧板１２は、サービスカウンター１、３の少なくとも前面又は側面の化粧面を覆うように、弱み線１４ａの外側が裏面側にフランジ状に折り返された状態で嵌め込まれるようにして、裏面の両面粘着テープ１７を介して、着脱可能に取り付けられる。粘着テープ１７は、予め工場などで化粧板１２の所定裏面に設けても良いし、店舗内で、内装作業者が適宜長尺の両面粘着テープ１７を切断して設けるようにしても良い。
【考案の効果】
【００１３】
本考案によれば、単に化粧板１２を店舗内に持込み、前板６および側板１７に貼着するだけで、サービスカウンター１，３の模様替えを行うことができるため、作業を短時間で行うことができ、その作業の間営業を休止することがないため、低コストにできる。また、部分張替え作業だけであるため、模様替えにあたっては、大量の粗大ゴミが生ずることがなく、環境的にも好ましいものとなる。
【００１４】
また本考案によれば、外観上、いわゆる化粧板の切りっぱなし端縁がないため、縁飾り材なども不要であり、印刷層が連続するため、見栄えが良い。
【考案を実施するための最良の形態】
【００１５】
以下、本考案の実施の形態を図面を用いて詳細に説明する。図１は本考案を適用したサービスカウンターのレイアウトの一例を示している。
【００１６】
図において、サービスカウンターは、壁２を背にしてＬ字形配置とされたＬ字形カウンター１と、Ｌ字形カウンター１の長手方向に連続して設けられた直線形カウンター３とからなるものであり、両カウンター１，３間に明けられた隙間を売場内への出入用動線（Ａ）とし、直線形カウンター３の後端内側と壁２との間に明けられた空間を事務室などの控室への出入口動線（Ｂ）とし、かつ壁面２には、小物入れ用の棚を設けたキャビネット４が配置されている。各サービスカウンター１，３の内側に待機する売場従業員（イ）は、サービスカウンター１、３で囲われた内側を主要動線とし、必要に応じて動線（Ａ），（Ｂ）内を通過することによって、売場内における必要な作業を行ったり、控室内で着替や休息などを取るようにしている。なお、図中の壁２、カウンター３、およびキャビネットにおけるハッチング部分は、控室との接続位置を示している。
【００１７】
以上のレイアウトにおいて、カウンター１、３は、天板５と、天板５の下部にあって従業員（イ）に面して配置されたレジ袋、箸、スプーンなどの小物類を収容した棚部を備えている一方、顧客（ロ）側においては、前板６および側板７とによって閉塞した外装構造となっており、各カウンター１，３の天板５上にはキャッシュレジスター８を始めとして、図示しないが、従業員のみ取扱い可能な食品などを収納したケースが設置されており、またキャビネット３上には、電子レンジ、電気ポットなどの簡易加熱器具９が設置されている。これによって、従業員（イ）は、顧客（ロ）が店内篭１０に投入した商品の精算や商品の袋詰め作業を行うほか、顧客（ロ）の求めに応じて天板４上におかれている食品の取出しや、加熱器具９による加熱調理などのサービス業務を行うことができるようになっている。
【００１８】
前記天板５、キャビネット４およびそれぞれの棚類は、商品の出し入れや金銭授受のために、白色またはこれに類する色彩の化粧板により外装されており、この部分は通年であり、全面改装以外は変化はない。これに対し、前板６および側板７は、木目調などの模様を適宜の色彩で彩色した化粧板で覆われるようになっており、本考案では、化粧板１２は季節の変り目や商品キャンペーンなどに応じて自由な張替えが可能となっている。
【００１９】
図２は、化粧板１２の模式的断面を示すものであり、この化粧板１２は、塩ビまたはポリエステル樹脂などの基材１４の表面に印刷層１５を介して一体化され、かつ透明でシボ加工などにより半光沢とされた表面保護層１６とからなっており、かつ基材１４の裏面側の折曲げ位置には、筋押しローラなどによるくせ付加工などにより、弱み線１４ａが形成され、この弱み線１４ａに沿ってフランジ状に折曲げ加工を可能としている。
【００２０】
なお、化粧板１２の実際の厚みは０．３〜０．６、好ましくは０．４〜０．５程度とすることによって、その加工性や取付性が良好なものとなる。また、印刷層１５は、木目調や、大理石模様、その他の幾何学模様とすることができ、かつ季節などに応じて模様替えをする場合には、その季節に応じた色彩とすることができる。
【００２１】
以上の化粧板１２の取付作業について説明する。図３（ａ）はＬ字形カウンター１に適用した場合を示す。この例においては、Ｌ字形カウンターの前板６は３分割されており、予め前板６および側板７の縦横寸法に応じた寸法にカットしておくとともに、Ｌ字形に屈曲する前板６同士は前記弱み線１４ａを介して折曲可能に一体化しておく。また前板６と側板７との屈曲位置も同様にして弱み線１４ａを介して屈曲可能に形成しておく。
【００２２】
次いで、各寸法にカットされた各化粧板１２の裏面の複数箇所には、両面粘着テープ１７の一面を貼着し、他面は剥離紙で保護しておく。なお、店内での計測作業のほかは、カッティング、くせ付作業、両面粘着テープ１７の貼付作業は、内装作業所で行い、準備終了後は、店舗内に各化粧板１２を持込み、両面粘着テープ１７の剥離紙１７を剥がし、該当個所に各化粧板１２順次を貼着すれば、模様替え作業を極めて短時間のうちに完了することになる。
【００２３】
直線形カウンター３も図３（ｂ）に示すように、前記と同様の手順で予め加工を施した後、各部の化粧板１２を貼着すれば、サービスカウンター１，３の模様替えを完了し、図１に示すごとくその季節やキャンペーン内容に応じた新たな前板６および側板７が構成されるものとなる。また前板６間あるいは前板６と側板７との間の折曲部においては、表面の印刷層１５および保護層１６が一体的に連続しているため、いわゆる切りっぱなし端面が見えることがなく、縁飾り材で縁取る必要もない。さらに、一度各部を計測しておけば、その後の張替え作業にあたっては、その計測データを活用して次のデザインの化粧板の加工を行うことができる。
【００２４】
本実施形態では、レイアウトを前記のごとく設定してあるが、店内出入口形状や店内の敷地形状に応じて多種多様であるので、前記実施例に示すレイアウトのみに限定されるものでないことは勿論であり、化粧板１２の形状も前板６および側板７の形状などに応じて各種変形が可能である。
【００２５】
図４は以上の化粧板１２を示しており、図４（ａ）に示すように、化粧板１２の両側に弱み線１４ａを介して左右一対の折返し片１８を形成しても良いし、これに加え、図４（ｂ）に示すように、上部にも折返し片１８を形成しても良い。さらに前板６および側板７の一部に開口部がある場合には、その開口形状に応じて開口部１９を切抜き形成するとともに、開口部の内周縁に折返し片１８を形成しても良く、前板６および側板７の形状や開口形状に応じて自由な形状に形成することができる。さらに、折返し片１８の内側にも両面粘着テープ１７を設け、折返し位置に貼着できることも勿論である。
【００２６】
さらに、本考案では、コンビニエンスストアや、これに類する食品雑貨店だけでなく、この種のサービスカウンターを備えた店舗一般や、金融機関や、事務所、役所用の受付に用いるサービスカウンターにも適用できることも勿論である。
【図面の簡単な説明】
【００２７】
【図１】本考案を適用した店舗内におけるサービスカウンター配置の一例を示す斜視図である。
【図２】本考案の化粧板の模式的拡大断面図である。
【図３】（ａ），（ｂ）はカウンターの前板および側板に対する化粧板取付状態を示す分解斜視図である。
【図４】（ａ）〜（ｃ）は、化粧板の例を示す斜視図である。
【符号の説明】
【００２８】
１、３  サービスカウンター
２  壁
５  天板
６  前板
７  側板
１２  化粧板
１４  基材
１４ａ  弱み線
１５  印刷層
１６  保護層
１７  粘着テープ
１８  折返し片
１９  開口部
【図１】
0003142791.tif 000003
【図２】
0003142791.tif 000004
【図３】
0003142791.tif 000005
【図４】
0003142791.tif 000006